(57)【要約】【課題】コストの上昇を抑制しつつ、誤印刷を防止することができる印刷装置及びプログラムを得る。【解決手段】印刷媒体８０が配置される配置面１２Ａを有する配置部１２と、配置面１２Ａに印刷媒体８０が配置された状態で印刷媒体８０に対して画像を印刷する印刷ヘッドを有する印刷部１９と、を備えた印刷装置１０において、印刷部１９による印刷に先立ち、配置面１２Ａに対して画像の印刷範囲の端部を光により表示するように制御装置２０Ａの制御部により制御する。【選択図】図１
2020082633.tif 000002
【特許請求の範囲】
【請求項１】
印刷媒体が配置される配置面を有する配置部と、
前記配置面に前記印刷媒体が配置された状態で前記印刷媒体に対して画像を印刷する印刷ヘッドを有する印刷部と、
前記印刷部による印刷に先立ち、前記配置面に対して前記画像の印刷範囲の端部を光により表示するように制御する制御部と、
を備えた印刷装置。
【請求項２】
前記画像は、矩形の画像であり、
前記印刷範囲の端部は、前記画像の印刷範囲の少なくとも１つの角点である、
請求項１に記載の印刷装置。
【請求項３】
前記画像は、矩形を除く画像であり、
前記印刷範囲の端部は、前記画像の印刷範囲の外接矩形の少なくとも１つの角点である、
請求項１に記載の印刷装置。
【請求項４】
前記画像は、円形の画像、楕円形の画像、及び複数の画像の組み合わせの少なくとも１つである、
請求項３に記載の印刷装置。
【請求項５】
前記印刷ヘッドは、前記配置面上を移動するキャリッジに設けられており、
前記光を射出する光源は、前記キャリッジに設けられている、
請求項１から請求項４の何れか１項に記載の印刷装置。
【請求項６】
前記制御部は、前記印刷範囲の端部を表示した後で、かつ、前記印刷媒体が前記配置面に配置される前に、前記印刷ヘッドを前記印刷媒体の配置範囲の外側まで待避する制御を更に行う、
請求項５に記載の印刷装置。
【請求項７】
前記光源は、前記キャリッジの端部に設けられている、
請求項５又は請求項６に記載の印刷装置。
【請求項８】
前記配置部は、前記配置面に目盛りが描画されており、
前記制御部は、前記目盛りにおける前記印刷範囲の端部に対応する位置に前記光を照射することにより前記印刷範囲の端部を表示する、
請求項１から請求項７の何れか１項に記載の印刷装置。
【請求項９】
前記目盛りは、前記印刷ヘッドにより前記配置面に印刷されている、
請求項８に記載の印刷装置。
【請求項１０】
前記目盛りは、前記配置部の前記配置面に凹凸が設けられて描画されている、
請求項８又は請求項９に記載の印刷装置。
【請求項１１】
前記配置部は、前記印刷媒体に対して前記印刷ヘッドにより画像を印刷する場合に、前記配置面に配置された前記印刷媒体を負圧により前記配置面側に吸引するものである、
請求項１から請求項１０の何れか１項に記載の印刷装置。
【請求項１２】
前記光は、レーザビームによるビーム光、又は、発光ダイオードによる発光光、又は、投影機による投影光である、
請求項１から請求項１１の何れか１項に記載の印刷装置。
【請求項１３】
前記印刷部は、インクジェット方式により画像を印刷するものである、
請求項１から請求項１２の何れか１項に記載の印刷装置。
【請求項１４】
前記制御部は、前記印刷範囲の端部を表示した後で、かつ、前記印刷媒体が前記配置面に配置された後に、前記印刷媒体の配置範囲の端部を光により表示するように更に制御する、
請求項１から請求項１３の何れか１項に記載の印刷装置。
【請求項１５】
前記制御部は、前記印刷範囲の端部に代えて、前記端部より前記印刷範囲の外側の予め定められた距離以内の位置を光により表示するように制御する、
請求項１から請求項１４の何れか１項に記載の印刷装置。
【請求項１６】
印刷媒体が配置される配置面を有する配置部と、前記配置面に前記印刷媒体が配置された状態で前記印刷媒体に対して画像を印刷する印刷ヘッドを有する印刷部と、を備えた印刷装置によって実行されるプログラムであり、
前記印刷部による印刷に先立ち、前記配置面に対して前記画像の印刷範囲の端部を光により表示するように制御する、
処理をコンピュータに実行させるためのプログラム。
【発明の詳細な説明】
【技術分野】
【０００１】
本開示は、印刷装置及びプログラムに関する。
【背景技術】
【０００２】
従来、略平坦なフラットベッド型等とされた配置部に配置された、紙、フイルム等の印刷媒体に画像を印刷する場合、印刷装置や、印刷装置に接続された制御装置を用いて、印刷すべき画像のサイズや使用する印刷媒体のサイズ等を設定したうえで、印刷を行っていた。
【０００３】
しかしながら、この形態では、設定する画像のサイズに誤りがあったり、実際に使用する印刷媒体のサイズに誤りがあったり、又は印刷媒体の配置を誤った場合には、画像の一部が印刷媒体の外側にはみ出てしまい、配置部の配置面に画像の一部を印刷してしまう場合があった。この場合、印刷媒体を無駄にしてしまうばかりか、配置部の配置面も劣化させてしまうことになる。
【０００４】
この問題を解決するために適用できる技術として、従来、フラットベッド型の配置部の配置面に、印刷するデジタル画像をプロジェクタシステムによって投影する技術が開示されている（特許文献１参照）。この技術によれば、印刷媒体への画像の印刷前に、印刷する画像が印刷媒体の配置面に投影されるため、投影された画像が含まれるように印刷媒体を配置面に配置することによって、上述した画像の印刷媒体からのはみ出しを未然に防止することができる。
【先行技術文献】
【特許文献】
【０００５】
【特許文献１】特許第６３５６２３５号
【発明の概要】
【発明が解決しようとする課題】
【０００６】
しかしながら、特許文献１に記載の技術では、印刷媒体の配置面に対してデジタル画像を投影するためのプロジェクタシステムが必要とされているため、著しくコストの上昇を招いてしまう、という問題があった。
【０００７】
本開示は、以上の事情を鑑みて成されたものであり、コストの上昇を抑制しつつ、誤印刷を防止することができる印刷装置及びプログラムを提供することを目的とする。
【課題を解決するための手段】
【０００８】
上記目的を達成するために、本開示の印刷装置は、印刷媒体が配置される配置面を有する配置部と、配置面に印刷媒体が配置された状態で印刷媒体に対して画像を印刷する印刷ヘッドを有する印刷部と、印刷部による印刷に先立ち、配置面に対して画像の印刷範囲の端部を光により表示するように制御する制御部と、を備える。
【０００９】
なお、本開示の印刷装置は、画像が、矩形の画像であり、印刷範囲の端部が、画像の印刷範囲の少なくとも１つの角点であってもよい。
【００１０】
また、本開示の印刷装置は、画像が、矩形を除く画像であり、印刷範囲の端部が、画像の印刷範囲の外接矩形の少なくとも１つの角点であってもよい。
【００１１】
特に、本開示の印刷装置は、画像が、円形の画像、楕円形の画像、及び複数の画像の組み合わせの少なくとも１つであってもよい。
【００１２】
また、本開示の印刷装置は、印刷ヘッドが、配置面上を移動するキャリッジに設けられており、光を射出する光源が、キャリッジに設けられていてもよい。
【００１３】
また、本開示の印刷装置は、制御部が、印刷範囲の端部を表示した後で、かつ、印刷媒体が配置面に配置される前に、印刷ヘッドを印刷媒体の配置範囲の外側まで待避する制御を更に行ってもよい。
【００１４】
また、本開示の印刷装置は、光源が、キャリッジの端部に設けられていてもよい。
【００１５】
また、本開示の印刷装置は、配置部が、配置面に目盛りが描画されており、制御部が、目盛りにおける印刷範囲の端部に対応する位置に光を照射することにより印刷範囲の端部を表示してもよい。
【００１６】
また、本開示の印刷装置は、目盛りが、印刷ヘッドにより配置面に印刷されていてもよい。
【００１７】
また、本開示の印刷装置は、目盛りが、配置部の配置面に凹凸が設けられて描画されていてもよい。
【００１８】
また、本開示の印刷装置は、配置部が、印刷媒体に対して印刷ヘッドにより画像を印刷する場合に、配置面に配置された印刷媒体を負圧により配置面側に吸引するものであってもよい。
【００１９】
また、本開示の印刷装置は、光が、レーザビームによるビーム光、又は、投影機による投影光であってもよい。
【００２０】
また、本開示の印刷装置は、印刷部が、インクジェット方式により画像を印刷するものであってもよい。
【００２１】
また、本開示の印刷装置は、制御部が、印刷範囲の端部を表示した後で、かつ、印刷媒体が配置面に配置された後に、印刷媒体の配置範囲の端部を光により表示するように更に制御してもよい。
【００２２】
更に、本開示の印刷装置は、制御部が、印刷範囲の端部に代えて、当該端部より印刷範囲の外側の予め定められた距離以内の位置を光により表示するように制御してもよい。
【００２３】
一方、上記目的を達成するために、本開示のプログラムは、印刷媒体が配置される配置面を有する配置部と、配置面に印刷媒体が配置された状態で印刷媒体に対して画像を印刷する印刷ヘッドを有する印刷部と、を備えた印刷装置によって実行されるプログラムであり、印刷部による印刷に先立ち、配置面に対して画像の印刷範囲の端部を光により表示するように制御する、処理をコンピュータに実行させるためのものである。
【００２４】
また、本開示の印刷装置は、コンピュータに実行させるための命令を記憶するメモリと、記憶された命令を実行するよう構成されたプロセッサと、を備え、プロセッサは、印刷部による印刷に先立ち、配置面に対して画像の印刷範囲の端部を光により表示するように制御する。
【発明の効果】
【００２５】
本開示によれば、コストの上昇を抑制しつつ、誤印刷を防止することができる。
【図面の簡単な説明】
【００２６】
【図１】実施形態に係る印刷システムの構成の一例を示す正面斜視図である。
【図２】実施形態に係る配置部の構成の一例を示す平面図である。
【図３Ａ】実施形態に係るキャリッジの主走査方向に対する移動機構の一例を示す底面図である。
【図３Ｂ】実施形態に係るキャリッジの副走査方向に対する移動機構の一例を示す側面図である。
【図４Ａ】実施形態に係る目盛りを構成する線の構成の一例を示す側面断面図である。
【図４Ｂ】従来の目盛りを構成する線の構成の一例を示す側面断面図である。
【図５】実施形態に係る制御装置のハードウェア構成の一例を示すブロック図である。
【図６】第１実施形態に係る制御装置の機能的な構成の一例を示すブロック図である。
【図７】実施形態に係る画像の印刷範囲の一例を示す平面図である。
【図８Ａ】実施形態に係る外接矩形の一例を示す平面図である。
【図８Ｂ】実施形態に係る外接矩形の他の例を示す平面図である。
【図８Ｃ】実施形態に係る外接矩形の他の例を示す平面図である。
【図８Ｄ】実施形態に係る外接矩形の他の例を示す平面図である。
【図９】実施形態に係る印刷情報データベースの構成の一例を示す模式図である。
【図１０】第１実施形態に係る印刷処理の一例を示すフローチャートである。
【図１１】実施形態に係る光マークの一例を示す正面斜視部である。
【図１２】第２実施形態に係る制御装置の機能的な構成の一例を示すブロック図である。
【図１３】第２実施形態に係る印刷処理の一例を示すフローチャートである。
【図１４】他の実施形態に係る光源の一例を示す底面図である。
【図１５】他の実施形態に係る光マークの一例を示す正面斜視部である。
【図１６Ａ】他の実施形態に係る光マークの一例を示す平面図である。
【図１６Ｂ】他の実施形態に係る光マークの一例を示す平面図である。
【図１６Ｃ】他の実施形態に係る光マークの一例を示す平面図である。
【図１７Ａ】他の実施形態に係る目盛りの構成の一例を示す平面図である。
【図１７Ｂ】他の実施形態に係る目盛りの構成の一例を示す平面図である。
【図１７Ｃ】他の実施形態に係る目盛りの構成の一例を示す平面図である。
【発明を実施するための形態】
【００２７】
以下、図面を参照して、本開示の技術を実施するための形態例を詳細に説明する。なお、本実施形態では、本開示の技術を、印刷装置と、当該印刷装置を制御する制御装置と、を含む印刷システムに適用した場合について説明する。また、本実施形態では、上記印刷装置として、キャリッジに設けられた印刷ヘッドを用いて、フラットベッド型の配置部に配置された印刷媒体に画像を印刷するインクジェット方式の印刷装置を適用した場合について説明する。
【００２８】
〔第１実施形態〕
まず、図１及び図２を参照して、本実施形態に係る印刷システム９０の構成を説明する。図１に示すように、印刷システム９０は、印刷装置１０、制御装置２０Ａ、及び撮影装置３０を含む。印刷装置１０は制御装置２０Ａに接続されており、印刷装置１０は制御装置２０Ａによって作動が制御される。また、撮影装置３０もまた制御装置２０Ａに接続されており、制御装置２０Ａにより、撮影装置３０の作動が制御され、かつ、撮影装置３０による撮影によって得られた画像データが撮影装置３０から取得される。制御装置２０Ａの例としては、パーソナルコンピュータ及びサーバコンピュータ等の情報処理装置が挙げられる。また、撮影装置３０の例としては、静止画像の撮影が可能なデジタル電子スチルカメラ及びデジタルビデオカメラ等のカメラが挙げられる。
【００２９】
本実施形態に係る印刷装置１０は、上面に紙、フイルム等の印刷媒体８０が配置されるフラットベッド型の配置部１２と、配置部１２の上面である配置面１２Ａに配置された印刷媒体８０に画像を印刷する印刷部１９と、が備えられている。
【００３０】
配置部１２の配置面１２Ａには、予め定められた原点１２Ｂを基準位置とした目盛り１２Ｃが予め形成されている。目盛り１２Ｃは、印刷媒体８０を配置面１２Ａに配置する際に、印刷媒体８０を予め定められた位置で、かつ、傾斜することなく配置するために設けられたものである。本実施形態に係る印刷装置１０では、印刷媒体８０の左下角点を原点１２Ｂに位置させ、かつ、印刷媒体８０の下端部及び左端部が目盛り１２Ｃの下端線及び左端線に各々一致するように、印刷媒体８０を配置面１２Ａに配置するものとされている。
【００３１】
また、図２に示すように、配置面１２Ａの上面には多数の吸引孔１２Ｄが平面視マトリクス状に設けられている。一方、配置部１２の下面側には負圧発生用ポンプ１２Ｅ（図６も参照。）が設けられており、負圧発生用ポンプ１２Ｅを駆動することにより、配置面１２Ａの上面側の空気が、吸引孔１２Ｄを介して配置面１２Ａの下面側に吸引される。従って、印刷媒体８０を配置面１２Ａに配置した状態で、負圧発生用ポンプ１２Ｅを駆動させることにより、印刷媒体８０を、端部に至るまで配置面１２Ａに密着させることができる。
【００３２】
一方、図１に示すように、本実施形態に係る印刷部１９には、配置部１２の正面視左右の両端部に、各々薄板状の一対の基台１４Ａ及び基台１４Ｂが設けられている。また、印刷部１９には、基台１４Ａ及び基台１４Ｂの各々の上面に対して、配置部１２の上面を跨ぐように、主走査バー１６が設けられている。さらに、主走査バー１６の図１紙面手前側には、印刷用のインク滴を吐出する印刷ヘッド１８Ａ（図３Ａも参照。）が下面側に設けられたキャリッジ１８が、主走査方向Ｍに往復移動が可能に設けられている。
【００３３】
本実施形態に係る印刷装置１０は、キャリッジ１８の正面視右端側から左端側への移動（以下、「往路移動」という。）と、この移動に引き続くキャリッジ１８の正面視左端側から右端側への移動（以下、「復路移動」という。）と、の各移動時において印刷媒体８０への印刷が可能とされている。なお、以下では、キャリッジ１８の正面視右端側から左端側への移動方向を「往路方向Ｍ１」といい、キャリッジ１８の正面視左端側から右端側への移動方向を「復路方向Ｍ２」という。
【００３４】
一方、基台１４Ａ及び基台１４Ｂは、配置部１２の正面視左右端面に案内されて、副走査方向Ｓに一体的に移動可能に設けられている。
【００３５】
本実施形態に係る印刷装置１０は、印刷媒体８０への画像の印刷時には、まず、キャリッジ１８を、予め定められたホームポジション（本実施形態では、図１に示す位置）に位置させる。次いで、印刷装置１０は、キャリッジ１８の往路移動及び復路移動を順次繰り返し行いつつ、副走査方向Ｓへの移動を行うと共に、印刷ヘッド１８Ａにより印刷媒体８０の上面に対して、印刷対象とする画像を示す画像データに基づいてインク滴を吐出させる。以上の動作により、印刷装置１０では、配置部１２の配置面１２Ａに配置された印刷媒体８０に対して画像全体の印刷が行われる。
【００３６】
次に、図３Ａ及び図３Ｂを参照して、本実施形態に係る印刷装置１０におけるキャリッジ１８の移動機構について説明する。なお、図３Ａは、主走査バー１６及びキャリッジ１８を、印刷装置１０の下面側（以下、単に「下面側」という。）から見た場合の構成の一例を示す。また、図３Ｂは、主走査バー１６及びキャリッジ１８を、印刷装置１０の正面視右端側（以下、単に「右端側」という。）から見た場合の構成の一例を示す。
【００３７】
図３Ａに示すように、主走査バー１６の下面側の両端部近傍には、無端状のスチールベルト１６Ｃが張架された一対のプーリ１６Ａ及びプーリ１６Ｂが立設されている。ここで、スチールベルト１６Ｃには、印刷ヘッド１８Ａのインク滴の吐出面が印刷装置１０の下方を向くようにキャリッジ１８が固定されている。
【００３８】
また、一方のプーリ１６Ａの近傍には、主走査用モータ４０が設けられており、主走査用モータ４０の回転軸４０Ａとプーリ１６Ａとの間には、無端状のスチールベルト４０Ｂが張架されている。従って、図３Ａに示すように、主走査用モータ４０の回転軸４０Ａを回転させることにより、キャリッジ１８を、往路方向Ｍ１及び復路方向Ｍ２に移動させることができる。
【００３９】
一方、図３Ｂに示すように、配置部１２の正面視手前側の端部と奥手側の端部の両端部近傍には、無端状のスチールベルト４４Ｃが張架された一対のプーリ４４Ａ及びプーリ４４Ｂが立設されている。ここで、スチールベルト４４Ｃの上面には、基台１４Ａの下面が固定されている。
【００４０】
また、一方のプーリ４４Ａの近傍には、副走査用モータ４２が設けられており、副走査用モータ４２の回転軸４２Ａとプーリ４４Ａとの間には、無端状のスチールベルト４２Ｂが張架されている。従って、図３Ｂに示すように、副走査用モータ４２の回転軸４２Ａを回転させることにより、キャリッジ１８を、副走査方向Ｓ及び副走査方向Ｓとは逆方向に移動させることができる。
【００４１】
また、本実施形態に係るキャリッジ１８には、キャリッジ１８の下面側で、かつ、端部に、配置面１２Ａに向けて光を照射する光源１８Ｂが設けられている。本実施形態に係る光源１８Ｂは、次に印刷する画像の印刷範囲の端部を配置面１２Ａの表面に表示するための光を射出するものである。以下では、光源１８Ｂから射出された光によって配置面１２Ａの表面に表示された像を「光マーク」という。本実施形態では、光マークとして、一例として図１１に示すような平面視Ｌ字状のものを適用するため、光源１８Ｂとして、レーザラインモジュール２式をＬ字状に配置して適用している。
【００４２】
一方、本実施形態に係る配置部１２の配置面１２Ａに設けられた目盛り１２Ｃは、一例として図４Ａに示すように、目盛り１２Ｃを構成する線が、配置面１２Ａに凹凸が設けられたうえで描画されている。これにより、一例として図４Ｂに示すような従来の凹凸がない描画線に比較して、目視できる範囲を大幅に広くしている。
【００４３】
なお、本実施形態に係る印刷装置１０では、目盛り１２Ｃを印刷ヘッド１８Ａにより印刷しているが、これに限定されず、目盛り１２Ｃを印刷装置１０とは別体構成とされた装置によって描画する形態としてもよい。
【００４４】
また、本実施形態に係る印刷装置１０は、配置部１２の正面視左右方向の幅が２〜４メートル程度で、奥行きが２〜３メートル程度の大型のものとされている。従って、本実施形態に係る印刷装置１０では、Ａ０サイズやＢ０サイズ等の大型の印刷媒体８０に対して一度の印刷動作で画像の印刷を行うことができる。しかしながら、本開示の技術は、このような大型の印刷装置のみならず、中型や小型の印刷装置にも適用することができることは言うまでもない。
【００４５】
次に、図５を参照して、本実施形態に係る制御装置２０Ａのハードウェア構成を説明する。図５に示すように、制御装置２０Ａは、ＣＰＵ（Central Processing Unit）２１、一時記憶領域としてのメモリ２２、及び不揮発性の記憶部２３を含む。また、制御装置２０Ａは、液晶ディスプレイ等の表示部２４、キーボードとマウス等の入力部２５、及び印刷装置１０及び撮影装置３０に接続されるインタフェース（Ｉ／Ｆ：InterFace）２６を含む。ＣＰＵ２１、メモリ２２、記憶部２３、表示部２４、入力部２５、及びＩ／Ｆ２６は、バス２７に接続されている。
【００４６】
記憶部２３は、ＨＤＤ（Hard Disk Drive）、ＳＳＤ（Solid State Drive）、及びフラッシュメモリ等によって実現される。記憶媒体としての記憶部２３には、印刷処理プログラム２３Ａが記憶される。ＣＰＵ２１は、記憶部２３から印刷処理プログラム２３Ａを読み出してからメモリ２２に展開し、展開した印刷処理プログラム２３Ａを実行する。また、記憶部２３には、印刷情報データベース２３Ｂが記憶される。印刷情報データベース２３Ｂについては、詳細を後述する。
【００４７】
次に、図６を参照して、本実施形態に係る制御装置２０Ａの機能的な構成について説明する。図６に示すように、制御装置２０Ａは、制御部２８Ａを含む。ＣＰＵ２１が印刷処理プログラム２３Ａを実行することで、制御部２８Ａとして機能する。
【００４８】
本実施形態に係る制御部２８Ａは、撮影装置３０の作動を制御する一方、撮影装置３０による撮影によって得られた画像データを撮影装置３０から取得する。
【００４９】
また、制御部２８Ａは、印刷部１９による印刷に先立ち、配置面１２Ａに対して画像の印刷範囲の端部を光により表示するように制御する。本実施形態に係る制御部２８Ａは、目盛り１２Ｃにおける上記印刷範囲の端部に対応する位置に光を照射することにより上記印刷範囲の端部を表示する。なお、本実施形態では、上述したように、この制御の際に用いる光として光源１８Ｂから射出された光を適用している。また、本実施形態では、上記印刷範囲の端部として、画像の印刷範囲の、配置面１２Ａに設けられた原点１２Ｂに最も近い角点の対角となる角点を適用している。
【００５０】
ここで、上記画像の印刷範囲について詳細に説明する。本実施形態に係る印刷システム９０では、印刷媒体８０に印刷可能な画像の形状として、傾斜していない矩形は勿論のこと、傾斜していない矩形を除く形状の画像も印刷可能としている。また、本実施形態に係る印刷システム９０では、１つの画像のみならず、複数の画像を１枚の印刷媒体８０に印刷可能としている。
【００５１】
印刷システム９０において、１枚の印刷媒体８０に１つの傾斜していない矩形の画像を印刷する場合は、一例として図７に示すように、画像の輪郭線で囲まれた範囲そのものが上記画像の印刷範囲となる。これに対して、１枚の印刷媒体８０に１つの傾斜していない矩形を除く形状の画像を印刷する場合は、例として図８Ａ〜図８Ｃに示すように、画像の外接矩形８２Ａで囲まれた範囲が上記印刷範囲となる。なお、図８Ａに示した例は、画像が楕円形である場合の例であり、図８Ｂに示した例は、画像が星形五角形である場合の例であり、図８Ｃに示した例は、画像が傾斜された矩形である場合の例である。
【００５２】
これに対し、１枚の印刷媒体８０に複数の画像を印刷する場合は、一例として図８Ｄに示すように、複数の画像の全てを含む外接矩形８２Ｂで囲まれた範囲が上記印刷範囲となる。
【００５３】
また、制御部２８Ａは、上記印刷範囲の端部を表示した後で、かつ、印刷媒体８０が配置面１２Ａに配置された後に、印刷媒体８０の配置範囲の端部を光により表示するように制御する。
【００５４】
また、制御部２８Ａは、印刷媒体８０に画像を印刷する場合に、印刷ヘッド１８Ａが主走査及び副走査するように、主走査用モータ４０及び副走査用モータ４２を制御する一方、負圧発生用ポンプ１２Ｅを制御して、印刷媒体８０が配置面１２Ａに密着するように制御する。
【００５５】
次に、図９を参照して、本実施形態に係る印刷情報データベース２３Ｂについて説明する。図９に示すように、本実施形態に係る印刷情報データベース２３Ｂは、印刷ＩＤ（IDentification）、印刷媒体情報、印刷枚数、画像データ、及び画像関連情報の各情報が記憶されるものとされている。
【００５６】
印刷ＩＤは、各印刷業務を識別するために割り振られた情報である。印刷媒体情報は、対応する印刷業務で用いる印刷媒体８０の種類及びサイズを示す情報であり、印刷枚数は、対応する印刷業務で印刷する枚数を示す情報であり、画像データは、対応する印刷業務で印刷する画像を示すデータである。なお、本実施形態では、１回の印刷業務において１種類の印刷媒体８０のみを用いる場合について説明するが、これに限らず、１回の印刷業務において、複数種類の印刷媒体８０を用いる形態としてもよい。
【００５７】
また、画像関連情報は、対応する印刷業務において印刷する画像の上述した印刷範囲、印刷条件（プロファイル）等といった、画像の印刷に関する情報である。なお、本実施形態に係る印刷情報データベース２３Ｂは、各印刷業務の依頼主から得られた情報に基づいて、制御装置２０Ａを用いる印刷事業者が構築するものとされているが、これに限るものではないことは言うまでもない。
【００５８】
次に、図１０を参照して、本実施形態に係る印刷システム９０の作用を説明する。制御装置２０ＡのＣＰＵ２１が印刷処理プログラム２３Ａを実行することによって、図１０に示す印刷処理が実行される。図１０に示す印刷処理は、例えば、印刷装置１０を用いて印刷業務を行う作業者（以下、単に「作業者」という。）により入力部２５を介して、印刷処理の実行指示が入力された場合に、印刷業務毎に実行される。なお、錯綜を回避するために、ここでは、印刷情報データベース２３Ｂが構築されている場合について説明する。
【００５９】
図１０のステップ２００で、制御部２８Ａは、印刷処理の実行が指示された印刷業務（以下、「実行印刷業務」という。）に対応する印刷媒体情報、印刷枚数、画像データ、及び画像関連情報の各情報を印刷情報データベース２３Ｂから読み出すことにより取得する。
【００６０】
次のステップ２０２で、制御部２８Ａは、印刷ヘッド１８Ａを上述したホームポジションに一旦移動させる。次いで、制御部２８Ａは、ステップ２００の処理によって取得した印刷範囲における、原点１２Ｂに最も近い角点の対角となる角点の位置を光マークが指し示す位置となる位置に、印刷ヘッド１８Ａを移動させるように制御する。
【００６１】
次のステップ２０４で、制御部２８Ａは、光源１８Ｂによる光の射出を開始するように制御する。この制御により、印刷装置１０の配置部１２の配置面１２Ａには、一例として図１１に示すように、光マーク５０が表示される。作業者は、実行印刷業務で用いる印刷媒体８０を、上述したように、印刷媒体８０の左下角点を原点１２Ｂに位置させ、かつ、印刷媒体８０の下端部及び左端部が目盛り１２Ｃの下端線及び左端線に各々一致するように配置面１２Ａに配置する。この際、作業者は、配置した印刷媒体８０の内部に光マーク５０が収まっているか否かを確認する。ここで、印刷媒体８０の内部に光マーク５０が収まっていない場合、印刷媒体８０の誤選択、印刷情報データベース２３Ｂに登録されている情報の誤り等の何らかの不具合が発生しているものとして、その不具合を解決することで、印刷媒体８０の内部に光マーク５０が収まるようにする。
【００６２】
次のステップ２０６で、制御部２８Ａは、撮影を実行するように撮影装置３０を制御した後、この制御によって得られた撮影画像データを撮影装置３０から取得する。次のステップ２０８で、制御部２８Ａは、撮影装置３０から取得された撮影画像データにより示される画像に基づいて、印刷媒体８０の配置面１２Ａへの配置が終了したか否かを判定し、否定判定となった場合はステップ２０６に戻る一方、肯定判定となった場合にはステップ２１０に移行する。
【００６３】
ステップ２１０で、制御部２８Ａは、負圧発生用ポンプ１２Ｅの作動を開始するように制御する。この制御により、印刷媒体８０が配置面１２Ａに密着される。次のステップ２１２で、制御部２８Ａは、光源１８Ｂの発光を停止するように制御する。
【００６４】
次のステップ２１４で、制御部２８Ａは、ステップ２００の処理によって取得した印刷媒体８０のサイズを用いて、印刷媒体８０の原点１２Ｂ側の角点の対角となる角点の位置を光マーク５０が指し示す位置となる位置に、印刷ヘッド１８Ａを移動させるように制御する。次のステップ２１６で、制御部２８Ａは、光源１８Ｂによる光の射出を開始するように制御する。この制御により、印刷装置１０の配置部１２の配置面１２Ａには、正しい印刷媒体８０が配置面１２Ａに配置されている場合には、印刷媒体８０の原点１２Ｂ側の角点の対角となる角点を挟む２辺に一致する（沿う）ように光マーク５０が表示される。従って、作業者は、印刷媒体８０として、正しい印刷媒体８０より大きなものを誤って用いてしまうことによる誤印刷を未然に防止することができる。
【００６５】
次のステップ２１８で、制御部２８Ａは、予め定められた時間（一例として、１０秒）が経過するまで待機する。次のステップ２２０で、制御部２８Ａは、光源１８Ｂの発光を停止するように制御する。
【００６６】
次のステップ２２２で、制御部２８Ａは、ステップ２００の処理によって取得した印刷情報における画像データ及び画像関連情報を用いて、印刷媒体８０に対する印刷を実行するように、印刷ヘッド１８Ａ、主走査用モータ４０、副走査用モータ４２等を制御する。
【００６７】
次のステップ２２４で、制御部２８Ａは、負圧発生用ポンプ１２Ｅの作動を停止するように制御する。この制御により、印刷媒体８０の配置面１２Ａへの密着が解除されるので、作業者は、画像が印刷された印刷媒体８０を印刷装置１０から取り出す。次のステップ２２６で、制御部２８Ａは、印刷作業が終了したか否かを判定し、否定判定となった場合はステップ２０２に戻る一方、肯定判定となった時点で、本印刷処理を終了する。なお、ステップ２２６の処理における印刷作業が終了したか否かの判定は、ステップ２００の処理によって取得した印刷枚数分の印刷が終了したか否かを判定することにより行っている。
【００６８】
以上説明したように、本実施形態によれば、印刷媒体８０が配置される配置面１２Ａを有する配置部１２と、配置面１２Ａに印刷媒体８０が配置された状態で印刷媒体８０に対して画像を印刷する印刷ヘッド１８Ａを有する印刷部１９と、を備えた印刷装置１０において、印刷部１９による印刷に先立ち、配置面１２Ａに対して画像の印刷範囲の端部を光により表示するように制御部２８Ａにより制御している。従って、プロジェクタシステムにより画像を投影する場合に比較して、コストの上昇を抑制しつつ、誤印刷を防止することができる。
【００６９】
また、本実施形態によれば、印刷する画像が矩形の画像である場合、印刷範囲の端部を、画像の印刷範囲の角点としている。従って、簡易な光で印刷範囲の端部を表示することができる結果、より低コストで、誤印刷を防止することができる。
【００７０】
また、本実施形態によれば、印刷する画像が矩形を除く画像である場合、印刷範囲の端部を、画像の印刷範囲の外接矩形の角点としている。従って簡易な光で印刷範囲の端部を表示することができる結果、より低コストで、誤印刷を防止することができる。
【００７１】
特に、本実施形態によれば、印刷する画像として、円形の画像、楕円形の画像、及び複数の画像の組み合わせも適用している。従って、これらの画像に関しても、誤印刷を防止することができる。
【００７２】
また、本実施形態によれば、印刷ヘッド１８Ａを、配置面１２Ａ上を移動するキャリッジ１８に設け、光を射出する光源１８Ｂを、キャリッジ１８に設けている。従って、光源１８Ｂをキャリッジ１８以外の移動機構に設ける場合に比較して、より低コストで、誤印刷を防止することができる。
【００７３】
また、本実施形態によれば、光源１８Ｂを、キャリッジ１８の端部に設けている。従って、キャリッジ１８を光マーク５０の表示領域の外側に位置させることができ、光マーク５０の視認性を向上させることができる。
【００７４】
また、本実施形態によれば、配置部１２を、配置面１２Ａに目盛り１２Ｃが描画されたものとし、制御部２８Ａにより、目盛り１２Ｃにおける印刷範囲の端部に対応する位置に光を照射することにより印刷範囲の端部を表示している。従って、より利便性を向上させることができる。
【００７５】
また、本実施形態によれば、目盛り１２Ｃを、印刷ヘッド１８Ａにより配置面１２Ａに印刷している。従って、より低コストで、誤印刷を防止することができる。
【００７６】
また、本実施形態によれば、目盛り１２Ｃが、配置部１２の配置面１２Ａに凹凸が設けられて描画されている。従って、凹凸が設けられない場合に比較して、目盛り１２Ｃの視認性を向上させることができる。
【００７７】
また、本実施形態によれば、配置部１２により、印刷媒体８０に対して印刷ヘッド１８Ａにより画像を印刷する場合に、配置面１２Ａに配置された印刷媒体８０を負圧により配置面１２Ａ側に吸引している。従って、印刷媒体８０を、端部に至るまで配置面１２Ａに密着させることができる結果、より確実に、誤印刷を防止することができる。
【００７８】
また、本実施形態によれば、光を、レーザビームによるビーム光としている。従って、光を、投影機による光とする場合に比較して、より低コストで、誤印刷を防止することができる。
【００７９】
また、本実施形態によれば、印刷部１９を、インクジェット方式により画像を印刷するものとしている。従って、インクジェット方式の印刷装置において、コストの上昇を抑制しつつ、誤印刷を防止することができる。
【００８０】
更に、本実施形態によれば、制御部２８Ａにより、印刷範囲の端部を表示した後で、かつ、印刷媒体８０が配置面１２Ａに配置された後に、印刷媒体８０の配置範囲の端部を光により表示するように更に制御している。従って、配置した印刷媒体８０が正しいものであるか否かを容易に確認することができる。
【００８１】
〔第２実施形態〕
次に開示の技術の第２実施形態について説明する。まず、図１２を参照して、本第２実施形態に係る制御装置２０Ｂの機能的な構成について説明する。なお、図１２における図６に示す制御装置２０Ａと同一の構成要素については図６と同一の符号を付して、その説明を省略する。
【００８２】
図１２に示すように、本第２実施形態に係る制御装置２０Ｂは、制御部２８Ａに代えて、制御部２８Ａとは異なる処理を実行する制御部２８Ｂが用いられている点が制御装置２０Ａと異なっている。
【００８３】
本第２実施形態に係る制御部２８Ｂは、上記第１実施形態に係る制御部２８Ａの機能に加えて、印刷範囲の端部を光によって表示した後で、かつ、印刷媒体８０が配置面１２Ａに配置される前に、印刷ヘッド１８Ａを印刷媒体８０の配置範囲の外側まで退避させる機能を有する。なお、印刷システム９０の他の構成（印刷装置１０及び撮影装置３０）は、第１実施形態と同様であるので、ここでの説明は省略する。
【００８４】
次に、第２実施形態に係る印刷システム９０の作用を説明する。第２実施形態に係る制御装置２０ＢのＣＰＵ２１が印刷処理プログラム２３Ａを実行することによって、図１３に示す印刷処理が実行される。図１３に示す印刷処理は、例えば、作業者により入力部２５を介して、印刷処理の実行指示が入力された場合に、印刷業務毎に実行される。なお、図１３における図１０と同一の処理を実行するステップについては図１０と同一のステップ番号を付して、その説明を極力省略する。
【００８５】
図１３のステップ２０４の処理によって光源１８Ｂによる光の射出が開始された後、次のステップ２０５Ａで、制御部２８Ｂは、予め定められた時間（一例として、１５秒）が経過するまで待機する。次のステップ２０５Ｂで、制御部２８Ｂは、印刷ヘッド１８Ａの位置を、印刷媒体８０の配置範囲の外側まで退避するように制御する。なお、本実施形態では、この位置として上述したホームポジションを適用しているが、これに限らない。例えば、印刷処理のステップ２０２の処理によって設定された位置より、原点１２Ｂから離れる方向に予め定められた距離（一例として、１０ｃｍ）だけ離れる位置を印刷ヘッド１８Ａの退避先の位置としてもよい。
【００８６】
このように、第２実施形態に係る印刷システム９０では、制御部２８Ｂにより、印刷範囲の端部を表示した後で、かつ、印刷媒体８０が配置面１２Ａに配置される前に、印刷ヘッド１８Ａを印刷媒体８０の配置範囲の外側まで待避する制御を行っている。従って、印刷媒体８０を配置面１２Ａに配置する作業が容易となる。
【００８７】
なお、上記各実施形態では、本開示の技術の制御部として印刷装置１０とは別体構成とされた制御装置２０Ａの制御部２８Ａ、及び制御装置２０Ｂの制御部２８Ｂを適用した場合について説明したが、これに限定されない。例えば、本開示の技術の制御部を、印刷装置１０と一体構成とする形態としてもよい。この場合、制御装置２０Ａ及び制御装置２０Ｂを用いることなく、本開示の技術を実現することができる。
【００８８】
また、上記各実施形態では、印刷媒体８０を配置面１２Ａに配置する前に画像の印刷範囲の端部を表示する場合について説明したが、これに限定されない。例えば、印刷媒体を配置面に配置した後に画像の印刷範囲の端部を表示する形態としてもよい。
【００８９】
また、上記各実施形態では、画像の印刷範囲の端部そのものを光で表示するように制御する場合について説明したが、これに限定されない。例えば、画像の印刷範囲の端部より当該印刷範囲の外側の予め定められた距離以内の位置を光により表示するように制御する形態としてもよい。この形態における上記予め定められた距離としては、１ｍｍ、２ｍｍといった予め設定した固定値や、画像の印刷範囲の端部から、印刷対象とする印刷媒体８０の外周部までの間の何れかの距離等を適用することができる。この場合、より確実に画像の誤印刷を防止することができる。
【００９０】
また、上記各実施形態では、光マークとして平面視Ｌ字状のものを適用した場合について説明したが、これに限定されない。例えば、点状の光を射出する複数の光源を用いて光マークを構成する形態としてもよい。
【００９１】
図１４には、この形態における、主走査バー１６及びキャリッジ１８を下面側から見た場合の構成の一例が示されている。
【００９２】
図１４に示す例では、レーザラインモジュール２式を用いた光源１８Ｂに代えて、複数の点状の光を射出する光源１８Ｃを用いる一方、主走査バー１６の下面に、各々点状の光を射出する複数の光源１６Ｄが、主走査バー１６の長手方向に沿って設けられている。
【００９３】
この形態の場合、一例として図１５に示すように、画像の印刷範囲の端部を、光源１６Ｄ及び光源１８Ｃの各光源による点状の光の組み合わせにより構成された光マーク５２により表示する。
【００９４】
また、図１６Ａ〜図１６Ｃには、その他の光マークの例が示されている。図１６Ａに示す例は、２本の直線状の光の組み合わせにより構成された光マーク５４の一例である。この例の場合、画像の印刷範囲の角点に光マーク５４における２本の光の交点が位置するように表示する。また、図１６Ｂに示す例は、１点のみの光により構成された光マーク５６の一例である。この例の場合、画像の印刷範囲の角点に光マーク５６が位置するように表示する。なお、これらの形態においても、一例として図１６Ｃに示すように、画像の印刷範囲の端部より当該印刷範囲の外側の予め定められた距離以内の位置を光により表示するように制御する形態としてもよい。これにより、より確実に、誤印刷を防止することができる。
【００９５】
また、上記各実施形態では、開示の技術の目盛りとして、等間隔でマトリクス状に配置された直線により構成された目盛り１２Ｃを適用した場合について説明したが、これに限定されない。
【００９６】
例えば、一例として図１７Ａに示すように、印刷業界で一般に用いられる印刷媒体の定型のサイズに応じた当該印刷媒体の端部の位置を直線で示す目盛り１２Ｆを適用してもよい。また、一例として図１７Ｂに示すように、一般家庭等で用いられるＡ１、Ｂ１等の印刷媒体の定型のサイズに応じた当該印刷媒体の端部の位置を直線で示す目盛り１２Ｇを適用してもよい。更に、一例として図１７Ｃに示すように、印刷媒体のサイズを測定可能とするべく、各々均一な間隔を示す目盛り１２Ｈを適用してもよい。
【００９７】
また、上記各実施形態では、光マークにより表示する画像の印刷範囲の端部を、当該印刷範囲の１つの角点のみとした場合について説明したが、これに限定されない。例えば、上記印刷範囲の複数の角点を光マークにより表示する形態としてもよい。
【００９８】
また、上記各実施形態では、光マークを、レーザビームによるレーザ光によるものとした場合について説明したが、これに限定されない。例えば、光マークを、発光ダイオードによる発光光や、投影機による投影光によるものとする形態としてもよい。
【００９９】
また、上記各実施形態において、例えば、制御部２８Ａ（制御部２８Ｂ）の処理を実行する処理部（processing unit）のハードウェア的な構造としては、次に示す各種のプロセッサ（processor）を用いることができる。上記各種のプロセッサには、前述したように、ソフトウェア（プログラム）を実行して処理部として機能する汎用的なプロセッサであるＣＰＵに加えて、ＦＰＧＡ（Field-Programmable Gate Array）等の製造後に回路構成を変更可能なプロセッサであるプログラマブルロジックデバイス（Programmable Logic Device：PLD）、ＡＳＩＣ（Application Specific Integrated Circuit）等の特定の処理を実行させるために専用に設計された回路構成を有するプロセッサである専用電気回路等が含まれる。
【０１００】
処理部は、これらの各種のプロセッサのうちの１つで構成されてもよいし、同種又は異種の２つ以上のプロセッサの組み合わせ（例えば、複数のＦＰＧＡの組み合わせや、ＣＰＵとＦＰＧＡとの組み合わせ）で構成されてもよい。また、処理部を１つのプロセッサで構成してもよい。
【０１０１】
処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが処理部として機能する形態がある。第２に、システムオンチップ（System On Chip：SoC）等に代表されるように、処理部を含むシステム全体の機能を１つのＩＣ（Integrated Circuit）チップで実現するプロセッサを使用する形態がある。このように、処理部は、ハードウェア的な構造として、上記各種のプロセッサの１つ以上を用いて構成される。
【０１０２】
更に、これらの各種のプロセッサのハードウェア的な構造としては、より具体的には、半導体素子などの回路素子を組み合わせた電気回路（circuitry）を用いることができる。
【０１０３】
また、上記実施形態では、印刷処理プログラム２３Ａが記憶部２３に予め記憶（インストール）されている態様を説明したが、これに限定されない。印刷処理プログラム２３Ａは、ＣＤ−ＲＯＭ（Compact Disc Read Only Memory）、ＤＶＤ−ＲＯＭ（Digital Versatile Disc Read Only Memory）、及びＵＳＢ（Universal Serial Bus）メモリ等の記録媒体に記録された形態で提供されてもよい。また、印刷処理プログラム２３Ａは、ネットワークを介して外部装置からダウンロードされる形態としてもよい。
【符号の説明】
【０１０４】
１０  印刷装置
１２  配置部
１２Ａ  配置面
１２Ｂ  原点
１２Ｃ  目盛り
１２Ｄ  吸引孔
１２Ｅ  負圧発生用ポンプ
１２Ｆ、１２Ｇ、１２Ｈ  目盛り
１４Ａ、１４Ｂ  基台
１６  主走査バー
１６Ａ、１６Ｂ  プーリ
１６Ｃ  スチールベルト
１６Ｄ  光源
１８  キャリッジ
１８Ａ  印刷ヘッド
１８Ｂ、１８Ｃ  光源
１９  印刷部
２０Ａ、２０Ｂ  制御装置
２１  ＣＰＵ
２２  メモリ
２３  記憶部
２３Ａ  印刷処理プログラム
２３Ｂ  印刷情報データベース
２４  表示部
２５  入力部
２６  インタフェース
２７  バス
２８Ａ、２８Ｂ  制御部
３０  撮影装置
４０  主走査用モータ
４０Ａ  回転軸
４０Ｂ  スチールベルト
４２  副走査用モータ
４２Ａ  回転軸
４２Ｂ  スチールベルト
４４Ａ  プーリ
４４Ｂ  プーリ
４４Ｃ  スチールベルト
５０、５２、５４、５６  光マーク
８０  印刷媒体
８２Ａ、８２Ｂ  外接矩形
９０  印刷システム
Ｍ  主走査方向
Ｍ１  往路方向
Ｍ２  復路方向
Ｓ  副走査方向
【図１】
2020082633.tif 000003
【図２】
2020082633.tif 000004
【図３Ａ】
2020082633.tif 000005
【図３Ｂ】
2020082633.tif 000006
【図４Ａ】
2020082633.tif 000007
【図４Ｂ】
2020082633.tif 000008
【図５】
2020082633.tif 000009
【図６】
2020082633.tif 000010
【図７】
2020082633.tif 000011
【図８Ａ】
2020082633.tif 000012
【図８Ｂ】
2020082633.tif 000013
【図８Ｃ】
2020082633.tif 000014
【図８Ｄ】
2020082633.tif 000015
【図９】
2020082633.tif 000016
【図１０】
2020082633.tif 000017
【図１１】
2020082633.tif 000018
【図１２】
2020082633.tif 000019
【図１３】
2020082633.tif 000020
【図１４】
2020082633.tif 000021
【図１５】
2020082633.tif 000022
【図１６Ａ】
2020082633.tif 000023
【図１６Ｂ】
2020082633.tif 000024
【図１６Ｃ】
2020082633.tif 000025
【図１７Ａ】
2020082633.tif 000026
【図１７Ｂ】
2020082633.tif 000027
【図１７Ｃ】
2020082633.tif 000028